(57)【特許請求の範囲】
【請求項１】
ポールに設置される本体と、
前記本体に設けられ、前記ポールの内部に配管されるケーブル管を接続する通孔とを備え、
前記通孔は、前記ケーブル管を挿入する挿入孔と、前記挿入孔と連通し前記ケーブル管を保持する保持孔とを有するダルマ形状である
ことを特徴とするケーブル引込装置。
【請求項２】
前記本体は、前記ポールの内方へと突出する膨出部を有し、
側面視において、前記膨出部は、前記ポールの内向に向かって傾斜する傾斜壁を有し、
前記通孔は、前記傾斜壁上に設けられる
ことを特徴とする請求項１に記載のケーブル引込装置。
【請求項３】
前記保持孔は、前記挿入孔の前記ポールの内方側に位置する
ことを特徴とする請求項２記載のケーブル引込装置。
【請求項４】
前記通孔は、前記通孔の縁部において前記保持孔及び前記挿入孔の間に設けられる突起部を有し、
前記ケーブル管は、前記保持孔に位置する場合、前記突起部によって前記本体に係合される
ことを特徴とする請求項１−３の何れか１項記載のケーブル引込装置。
【請求項５】
前記ケーブル管は、山径を有する部分と、谷径を有する部分とが交互に存在する蛇腹状であり、
前記挿入孔の径は、前記山径より大きく、
前記保持孔の径は、前記山径より小さく、前記谷径以上であり、
前記保持孔は、前記谷径を有する部分で前記ケーブル管を係合する
ことを特徴とする請求項１−４の何れか１項記載のケーブル引込装置。
【請求項６】
請求項１−５の何れか１項記載のケーブル引込装置を備えたポール。
【発明の詳細な説明】
【技術分野】
【０００１】
本発明は、ケーブル引込装置及びそれを用いるポールに関する。
【背景技術】
【０００２】
従来、給電ポール内部に配設される電線管を、器具据付体と接続するために、器具据付体に接続する接続部を設け、上記接続部を器具据付体と組み付けてから電線管の接続作業を行う給電ポールがあった。（例えば、特許文献１を参照）
【先行技術文献】
【特許文献】
【０００３】
【特許文献１】特開２０１２−２４４７２７号公報
【発明の概要】
【発明が解決しようとする課題】
【０００４】
しかしながら、特許文献１に記載の給電ポールは、電線管を器具据付体に接続するために、接続部を器具据付体に接着する作業が必要のため、接続作業に工数がかかり、部品の管理にも労力がかかる問題がある。
【０００５】
また、上述接続部と器具据付体とを一体形成しようとしても、複雑な形状であるため、一体成形しにくい問題がある。
【０００６】
そこで、本発明は、上記事由に鑑みて為されたものであって、ケーブル引込装置と別体となる接続部を設けなくても、電線管を含むケーブル管を簡単に接続することができるケーブル引込装置及びそれを用いるポールを提供することを目的とする。
【課題を解決するための手段】
【０００７】
本発明のケーブル引込装置は、ポールに設置される本体と、本体に設けられ、ポールの内部に配管されるケーブル管を接続する通孔とを備え、通孔は、ケーブル管を挿入する挿入孔と、挿入孔と連通しケーブル管を保持する保持孔とを有するダルマ形状であることを特徴とする。
【０００８】
本発明のポールは、上記ケーブル引込装置を備えたことを特徴とする。
【発明の効果】
【０００９】
本発明に係るケーブル引込装置を用いることで、ケーブル管接続作業を簡単に実施することができる。
【図面の簡単な説明】
【００１０】
【図１】図１は、本発明の実施形態１に係るケーブル引込装置を配置した状態のポールの斜視図である。
【図２】図２は、本発明の実施形態１に係るケーブル引込装置の正面図である。
【図３】図３は、本発明の実施形態１に係るケーブル引込装置の背面図（ａ）、側面図（ｂ）、下面図（ｃ）及び斜視図（ｄ）である。
【図４】図４は、本発明の実施形態１に係るケーブル引込装置の図２のＡ−Ａ断面図において、ケーブル管の挿入状態を示す概念図（ａ）及びケーブル管の保持状態を示す概念図（ｂ）である。
【発明を実施するための形態】
【００１１】
本発明の実施形態に係るケーブル引込装置２及びポール１について図面を用いて説明する。なお、以下の説明において用いる各図の形状は、好適な形状寸法を説明する上での概念図または概略図であり、寸法比率等は実際の寸法比率とは必ずしも一致しない。つまり、本発明は、図面における寸法比率に限定されるものではない。
（実施形態１）
図１は、ケーブル引込装置２を配置した状態のポール１の斜視図である。図１に示すように、ポール１は、中空筒状のポール本体１０と、ケーブル引込装置２とを有する。また、ポール１は、ポール本体１０に設けられる開口部（図示しない）を有し、ケーブル引込装置２は、上述開口部の一部または全部を覆うように、ポール１に設置される。なお、ケーブル引込装置２をポール１に設置する方向として、例えばケーブル引込装置２が、固定孔２３を有し、ネジなどを用いて固定孔２３を通してポール１のポール本体１０に固定する方法は挙げられるが、それに限定されない。
【００１２】
ポール本体１０の内部には、建物等に設置された電源に接続される電線、情報線を内挿するケーブル管Ｃ（図４参照）が配設される。図４は、図２のケーブル引込装置２のＡ−Ａ断面図において、ケーブル管の挿入状態を示す概念図（ａ）及びケーブル管の保持状態を示す概念図（ｂ）である。図４の（ｂ）に示すように、ケーブル管Ｃまたはその中に内挿される電線、情報線は、上述開口部からケーブル引込装置２を通してポール１の外側に導出される。
【００１３】
なお、ケーブル管Ｃとして、図４に示す山径Ｃ１を有する部分と、谷径Ｃ２を有する部分とが交互に存在する蛇腹状であるものが好ましい。例えば市販のＣＤ管、ＰＦ管などが挙げられる。しかし、ケーブル管Ｃが限定されない。また、便宜上、ポール本体１０の断面は円筒状として説明するが、例えば四角筒状でもよく、特に限定されない。
【００１４】
図２は、ケーブル引込装置２の正面図であり、図３の（ａ）、（ｂ）、（ｃ）、（ｄ）は、それぞれケーブル引込装置２の背面図、側面図、下面図、斜視図である。
【００１５】
図２に示すように、ケーブル引込装置２は、ポール１に設置される本体２０と、本体２０に設けられ、ケーブル管Ｃを接続する通孔２１とを備える。
【００１６】
通孔２１は、ケーブル管Ｃを挿入する挿入孔２１１と、挿入孔２１１と連通してケーブル管Ｃを保持する保持孔２１２とを有するダルマ形状である。なお、本実施形態において、ダルマ形状とは、大きさが異なる２つ以上の孔が連通するような形状である。大きい孔が挿入孔２１１に相当し、小さい孔が保持孔２１２に相当する。また、孔の形状が、例えば円形、楕円形、四角形などが上げられ、特に限定されない。また、２つ以上の孔が、それぞれ違う形状、例えば円形と楕円形でもよく、特に限定されない。また、便宜上、通孔２１が２つの孔を有するダルマ形状として説明するが、孔の数が限定されない。例えば、ケーブル管Ｃが２本があるとき、通孔２１が挿入孔１つと保持孔２つ、計３つの孔を有するダルマ形状でもよい。この場合、３つの孔がそれぞれ隣接する２つの孔同士が連通することが好ましい。
【００１７】
挿入孔２１１の径Ｄ１は、ケーブル管Ｃの山径Ｃ１より大きい、すなわちケーブル管Ｃを挿入しやすい大きさであることが好ましい。保持孔２１２の径Ｄ２は、ケーブル管Ｃの山径Ｃ１より小さく、ケーブル管Ｃの谷径Ｃ２以上、すなわちケーブル管Ｃを保持しやすい大きさであることが好ましい。また、図４（ｂ）の拡大図に示すように、保持孔２１２の孔縁部分の肉厚寸法Ｄ３は、谷溝幅の寸法Ｃ３以下であることが好ましい。
【００１８】
以上により、保持孔２１２の径Ｄ２は、ケーブル管Ｃの山径Ｃ１より小さく、ケーブル
管Ｃの谷径Ｃ２以上、保持孔２１２の孔縁部分の肉厚寸法Ｄ３は、谷溝幅の寸法Ｃ３以下であることで、保持孔２１２は、ケーブル管Ｃの谷径を有する部分でケーブル管Ｃを保持することができる。すなわち、保持孔２１２は、ケーブル管Ｃの谷径を有する部分でケーブル管Ｃを係合することで、ケーブル管Ｃの挿入方向においてケーブル引込装置２に対する動きを抑制することができる。よって、保持孔２１２は、より安定してケーブル管Ｃをケーブル引込装置２に保持することができる。
【００１９】
更に、図２、図３に示すように、通孔２１は、保持孔２１２及び挿入孔２１１の間に設けられる突起部２４を有することが好ましい。保持孔２１２がケーブル管Ｃを保持する際に、突起部２４は、ケーブル管Ｃを係合してその挿入方向と垂直する方向においてケーブル引込装置２に対する動きを抑制することができる。よって、保持孔２１２は、より安定してケーブル管Ｃをケーブル引込装置２に保持することができる。
【００２０】
また、ケーブル引込装置２がポール１に設置する設置面２５（図３を参照）は、ポール１のポール本体１０に合わせた曲面であることが好ましいが、形状が限定されない。また、設置状態をより安定させるために、設置面２５に、例えば弾性を有するゴム材（図示しない）を設けても良い。
【００２１】
図２から図４に示すように、ケーブル引込装置２の本体２０は、更に本体２０から突出する膨出部２２を有することが好ましい。この場合、膨出部２２は、ケーブル引込装置２がポール１にポール１の開口部の一部または全部を覆って設置される際に、ポール１の開口部に入ってポール１の内部に向かって突出する。そして、図３（ｂ）に示すように、膨出部２２は、ポールの内方に向かって傾斜する傾斜壁２２１を有し、通孔２１は、膨出部２２の傾斜壁２２１上に設けられる。
【００２２】
なお、図３（ａ）に示すように通孔２１（挿入孔２１１、保持孔２１２）が傾斜壁２２１の下方に設けられているが、それに限定されず、通孔２１は、傾斜壁２２１の上方に設けられてもよい。
【００２３】
上述のように、通孔２１は、膨出部２２の傾斜壁２２１上に設けられることで、ケーブル引込装置２がポール１に設置される際に、ポール１の内部に配設されるケーブル管Ｃが通孔２１の挿入孔２１１に挿入されやすくなる。また、図４の（ｂ）に示すように、ケーブル管Ｃの一端側がケーブル引込装置２に保持されるとき、他端側がポール１に沿って、矢印Ｙに示す方向に曲がる。通孔２１は、膨出部２２の傾斜壁２２１上に設けられることで、保持孔２１２は、ケーブル管Ｃをポール１と傾斜する状態でケーブル引込装置２で保持することができ、例えば設置面２５でケーブル管Ｃを保持する場合より、曲がり角度Ｑが大きい。その結果、ケーブル管Ｃの変形にかかる保持孔２１２における応力を小さくすることができ、保持孔２１２は、より安定してケーブル管Ｃをケーブル引込装置２に保持することができる。
【００２４】
この場合、保持孔２１２は、挿入孔２１１のポールの内方側に位置することが好ましい。すなわち、挿入孔２１１は、保持孔２１２より設置面２５に近い位置に設けられることが好ましい。その理由について、図４の（ｂ）を用いて説明する。
【００２５】
図４に示すように、ケーブル管Ｃが保持孔２１２に保持されるとき、保持孔２１２と挿入孔２１１との連通する部分（矢印Ａが示す部分）がケーブル管Ｃを保持できない部分があるため、その反対側の保持する部分（矢印Ｂが示す部分）より、保持する安定性が低い。よって、保持孔２１２は、挿入孔２１１のポールの内方側に位置することで、ケーブル管Ｃの他端側がポール１に沿って、矢印Ｙに示す方向に曲がる際に生じた応力が保持する部分（矢印Ｂが示す部分）側に大きくかかるため、保持孔２１２は、より安定してケーブ
ル管Ｃをケーブル引込装置２に保持することができる。また、このとき、突起部２４が矢印Ａが示す部分側に位置するため、ケーブル管Ｃが矢印Ｙに示す方向に曲がる際に突起部２４を軸支として曲がることができるため、通孔２１との応力を分散することができ、通孔２１の破損を抑えることができる。
【００２６】
次に、ケーブル管Ｃをケーブル引込装置２の通孔２１に挿入、保持する動作について、図４の（ａ）及び（ｂ）を用いて説明する。
【００２７】
先ず、ケーブル管Ｃをケーブル引込装置２の通孔２１の挿入孔２１１に挿入し、図４の（ａ）に示す挿入状態にする。
【００２８】
次に、図４の（ａ）の矢印に示す方向に、ケーブル管Ｃを押し込み、ケーブル管Ｃを保持孔２１２に保持させる。すなわち、図４の（ｂ）に示す保持状態にする。よって、通孔２１は、ケーブル管Ｃを挿入する挿入孔２１１と、ケーブル管を保持する保持孔２１２とが連通するダルマ形状であるため、ケーブル管Ｃを挿入孔２１１における挿入状態から、挿入孔２１１と保持孔２１２との連通する部分を介して保持孔２１２に保持される保持状態にすることができる。
【００２９】
以上のように、本実施形態のポール１は、中空筒状のポール本体１０と、ケーブル引込装置２とを有し、ケーブル引込装置２は、本体２０に設けられ、ケーブル管Ｃを接続するダルマ形状の通孔２１とを備えることで、ケーブル管Ｃの接続作業を行う際に、ケーブル管Ｃを通孔２１に挿入してから、保持孔２１２の方向に押し込むだけで通孔２１に保持することができるため、特許文献１などに記載のものより、接続作業が簡単になる。また、本体２０と別体にケーブル管Ｃを接続するために接続部を設ける必要がない。よって、特許文献１などに記載のものより、少部品化することができ、ケーブル管Ｃを簡単に接続することができる。また、ケーブル引込装置２の形状がより簡単なため、より簡単に成形することができる。
（結び）
以上のように、本発明における技術の例示として、実施形態を説明した。そのために、添付図面及び詳細な説明を提供した。
【００３０】
したがって、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００３１】
なお、上述の実施形態は、本発明における技術を例示するためのものであるから、特許請求の範囲またはその均等の範囲において種々の変更、置き換え、付加、省略などを行うことができる。
【符号の説明】
【００３２】
１  ポール
１０  ポール本体
２  ケーブル引込装置
２０  本体
２１  通孔
２１１  挿入孔
２１２  保持孔
２２  膨出部
２２１  傾斜壁
２３  固定孔
２４  突起部
２５  設置面
Ｃ  ケーブル管
Ｃ１  山径
Ｃ２  谷径
Ｃ３  谷溝幅の寸法
Ｄ１  挿入孔の径
Ｄ２  保持孔の径
Ｄ３  保持孔の孔縁部分の肉厚寸法
【図１】
0006533956.tif 000002
【図２】
0006533956.tif 000003
【図３】
0006533956.tif 000004
【図４】
0006533956.tif 000005